(57)【要約】【課題】  一枚引きの雨戸を有するタイプで開閉操作性の向上、耐風圧性の向上及び光の漏れの防止が図れる雨戸装置を提供する。【解決手段】  建物の開口部に設けられた窓２の室外側に配置される上枠３ａ、下枠３ｂ及び左右の縦枠３ｃからなる枠３と、少なくとも前記上枠３ａに片開きにスライド開閉自在に設けられる雨戸５とを備え、前記縦枠３ｃと前記雨戸５の背面部とに、雨戸５の全閉時に互いに係合する全閉時用係合部３８ａ，３８ｂ，３８ｃ，３８ｄを設けると共に雨戸５の全開時に互いに係合する全開時用係合部３９ａ，３９ｂを設け、雨戸側の全閉時用係合部３８ｄ及び全開時用係合部３９ｂが雨戸の開閉用の引手部４０を構成している。【選択図】          図３
2006249703.tif 000002
【特許請求の範囲】
【請求項１】
建物の開口部に設けられた窓の室外側に配置される上枠、下枠及び左右の縦枠からなる枠と、少なくとも前記上枠に片開きにスライド開閉自在に設けられる雨戸とを備え、前記縦枠と前記雨戸の背面部とに、雨戸の全閉時に互いに係合する全閉時用係合部を設けると共に雨戸の全開時に互いに係合する全開時用係合部を設け、雨戸側の全閉時用係合部及び全開時用係合部が雨戸の開閉用の引手部を構成していることを特徴とする雨戸装置。
【発明の詳細な説明】
【技術分野】
【０００１】
本発明は、一枚の雨戸が片開きにスライド開閉するようにした雨戸装置に関する。
【背景技術】
【０００２】
雨戸装置としては、例えば実開昭５３−１６１５４９号公報に記載されているもの（前者）や特開平８−１５１８７１号公報に記載されているもの（後者）が知られている。前者の雨戸装置は、窓枠の上枠の外壁の屋外側に雨戸用上レールを設け、窓枠の下枠の下面に雨戸用下レールを設け、雨戸用上レールの両側延長線上に雨戸用延長上レールを設け、雨戸用下レールの両側延長線上に雨戸用延長下レールを設けている。雨戸の上框には雨戸用上レール及び雨戸用延長上レール上を走行する吊車が設けられ、雨戸の下框には雨戸用下レール及び雨戸用延長下レール上を案内されるガイド片が設けられている。
【０００３】
後者の雨戸装置は、窓の上方に設けられ、間隔を開けて対向した戸車を長手方向に複数有する上雨戸レールと、窓の下方に設けられる下雨戸レールと、一端の上下に突起を有し、上端に設けられた水平フランジが前記戸車に載置され、下端が下雨戸レールに嵌合されて左右にスライド自在に複数取付けられる雨戸本体と、雨戸本体の一端の上または下の突起を係止して雨戸本体を上下の雨戸レールの延長線上に突出した状態に固定する溝を有し、上下の雨戸レールの一端に各々設けられるエンドテーブルとを備えている。水平フランジは雨戸本体に設けた可動レールといえる。
【０００４】
【特許文献１】実開昭５３−１６１５４９号公報
【特許文献２】特開平８−１５１８７１号公報
【発明の開示】
【発明が解決しようとする課題】
【０００５】
しかしながら、前記何れの雨戸装置も、複数枚の雨戸を有するタイプを対象とするものであり、一枚引きの雨戸を有するタイプには適用できず、開閉操作性に劣っていた。また、雨戸が屋外に配置されている構造上、風の巻き込みによりバタツキを生じ易く、耐風圧性に劣る問題がある。更に、雨戸全閉時には、縦枠と雨戸の隙間から光が漏れ易い。
【０００６】
本発明は、上記事情を考慮してなされたものであり、一枚引きの雨戸を有するタイプで開閉操作性に優れ、耐風圧性の向上及び光の漏れの防止が図れる雨戸装置を提供することを目的とする。
【課題を解決するための手段】
【０００７】
本発明は、建物の開口部に設けられた窓の室外側に配置される上枠、下枠及び左右の縦枠からなる枠と、少なくとも前記上枠に片開きにスライド開閉自在に設けられる雨戸とを備え、前記縦枠と前記雨戸の背面部とに、雨戸の全閉時に互いに係合する全閉時用係合部を設けると共に雨戸の全開時に互いに係合する全開時用係合部を設け、雨戸側の全閉時用係合部及び全開時用係合部が雨戸の開閉用の引手部を構成していることを特徴とする。
【発明の効果】
【０００８】
本発明によれば、建物の開口部に設けられた窓の室外側に配置される上枠、下枠及び左右の縦枠からなる枠と、少なくとも前記上枠に片開きにスライド開閉自在に設けられる雨戸とを備え、前記縦枠と前記雨戸の背面部とに、雨戸の全閉時に互いに係合する全閉時用係合部を設けると共に雨戸の全開時に互いに係合する全開時用係合部を設け、雨戸側の全閉時用係合部及び全開時用係合部が雨戸の開閉用の引手部を構成しているため、一枚引きの雨戸を有するタイプで開閉操作性に優れ、しかも、耐風圧性の向上及び光の漏れの防止が図れる。
【発明を実施するための最良の形態】
【０００９】
以下に、本発明を実施するための最良の形態について、添付図面を基に詳述する。図１は本発明の実施の形態である雨戸装置を示す図で、（ａ）は全閉時の室外側正面図、（ｂ）は全開時の室外側正面図、図２は同雨戸装置の縦断面図、図３は同雨戸装置の全閉時の横断面図、図４は同雨戸装置の全開時の横断面図である。
【００１０】
これらの図において、１は雨戸装置で、この雨戸装置１は、建物の開口部に設けられた窓２の室外側に配置される上枠３ａ、下枠３ｂ及び左右の縦枠３ｃ，３ｃからなる枠３と、少なくとも前記上枠３ａにスライドレール４を介して片開きにスライド開閉自在に設けられる雨戸（例えば鎧戸、戸体ともいう。）５とを備えている。前記窓２としては、開口幅の広くない、いわゆる縦長の窓、例えば上げ下げ窓が適用される。この上げ下げ窓（２）は、上枠６ａ、下枠６ｂ及び左右の縦枠６ｃ，６ｃからなる窓枠６と、この窓枠６内の室外側上半分の領域に設けられる外障子７と、窓枠６内の室内側下半分の領域に設けられた内障子８とを備えている。外障子７は上げ下げ可能な可動障子又は上げ下げ不能は固定障子（嵌め殺し）になっている。内障子は上げ下げ可能な可動障子になっている。
【００１１】
図示例の上げ下げ窓（２）は、室内面及び下面が開放された中空の上枠６ａを有し、この上枠内６ａには可動障子例えば内障子８を所望の開位置に保持するためのバランサー９が設けられていると共に、上枠６ａにはその室内面及び下面を覆うカバー部材１０が着脱自在に取付けられている。なお、１１は建物の開口部の室内側に設けられた額縁である。雨戸装置１の枠３は、窓２の窓枠６の外周を囲繞するよう設けられている。雨戸５の幅寸法は、雨戸装置１の両縦枠３ｃ，３ｃ間の外側幅寸法と略同じとされている。
【００１２】
雨戸装置１の枠３を構成する上枠３ａ、下枠３ｂ及び左右の縦枠３ｃ，３ｃは、例えばアルミ押出形材からなっている。枠３は、上枠３ａと下枠３ｂの両端部相互間に縦枠３ｃ，３ｃを挟み込んでネジ止めにより組み立ててなり、上枠３ａ及び下枠３ｂの両端部が露出する横通し組立構造が採用されている。上枠３ａ及び下枠３ｂの両端部には端部キャップが取付けられている（図示省略）。前記枠３の上枠３ａ及び下枠３ｂが建物の躯体の外壁に固着具例えばネジ１２で固定される。図示例の縦枠３ｃは、主枠１３ａと、該主枠１３ａにネジで着脱自在に取付けられた補助枠１３ｂとの２部材からなっているが、１部材からなっていても良い。
【００１３】
上枠３ａの室外面と、下枠３ｂの室外面とには、装飾用として、例えばアルミ押出形材からなる上枠カバー材１４ａと、下枠カバー材１４ｂとがそれぞれネジで着脱自在に取付けられている。雨戸（戸体）５は、上框１５ａ、下框１５ｂ及び左右の縦框１５ｃ，１５ｃからなる框組１５内に面材例えば金属プレート１６を組込んでなる。なお、図示例の上枠３ａ及び下枠３ｂは、それぞれ共通の基本断面形状を有する２つの構成部材１７ａ，１７ｂ，１８ａ，１８ｂを接続部材１９，２０を介して接続して構成されているが、これに限定されるものではなく、それぞれ一体構造であっても良い。
【００１４】
前記スライドレール４は、上枠３ａに設けられた固定レール４ａと、該固定レール４ａに中間レール４ｂを介してスライド自在に支持された可動レール４ｃとを有し、該可動レール４ｃが雨戸５の背面部、すなわち上框１５ａの背面部（室内面）に設けられている。上枠３ａの下面には、その室内外方向略中間部に取付片２１が設けられ、この取付片２１の室外面に固定レール４ａがネジで取付けられている。前記雨戸５の上框１５ａの室内面に対して前記可動レール４ｃがネジで取付けられている。
【００１５】
図５はスライドレールを示す図で、（ａ）は横断面図、（ｂ）は全閉時の縦断面図、（ｃ）は全開時の縦断面図である。固定レール４ａは、上枠３ａの略全長に対応する長さの一本のレールからなっている。中間レール４ｂと可動レール４ｃは、それぞれ固定レール４ａと略同じ長さとされる。固定レール４ａと可動レール４ｃは、共に室内外方向の寸法を抑えた扁平形の横断面略Ｃ字状に形成され、内側（内部）に中間レール４ｂを挟み込む（覆い包む）ように相対向して配置されている。
【００１６】
中間レール４ｂには固定レール４ａの上下の溝２２と、可動レール４ｃの上下の溝２２にそれぞれ対向する４つの溝２３が形成されており、各対向する溝１２，２３間にはボールベアリングとしてのボール（鋼球）２４が複数個ずつ設けられている。固定レール側には、固定レール側の上下のボール２４を固定レール４ａの長手方向に所定の間隔で回転自在に保持する固定レール側のボールリテーナー２５がレール長手方向に移動自在に設けられている。可動レール側には、可動レール側の上下のボール２４を可動レール４ｂの長手方向に所定の間隔で回転自在に保持する可動レール側のボールリテーナー２６がレール長手方向に移動自在に設けられている。
【００１７】
可動レール４ｃの伸張時（雨戸の全開時）にその最大伸張位置を規定するために、可動レール４ｃの後端部（収縮側）には可動レール側のボールリテーナー２６の後端部に当接して可動レール４ｃの伸張方向への移動を停止させる第１ストッパー２７が設けられ、中間レール４ｂの先端部（伸張側）には可動レール側のボールリテーナー２６の先端部に当接して当該ボールリテーナー２６の伸張方向への移動を停止させる第２ストッパー２８が設けられている。また、中間レール４ｂの後端（収縮側）には固定レール側のボールリテーナー２５の後端部に当接して中間レール４ｂの伸張方向への移動を停止させる第３ストッパー２９が設けられ、固定レール４ａの先端部（伸張側）には固定レール側のボールリテーナー２５の先端部に当接して当該ボールリテーナー２５の伸張方向への移動を停止させる第４ストッパー３０が設けられている。
【００１８】
雨戸５の上部である上框１５ａには、スライドレール４の上部、特に雨戸全開時に上枠３ａの外側方へ突出される中間レール４ｂ及び可動レール４ｃの上部を覆う覆い部（雨避け）３１が設けられ、スライドレール４のボールベアリングに注入された潤滑材例えばグリースが雨で洗い流されるのを防止している。
【００１９】
雨戸装置１の下枠３ｂは、雨戸５の下部を収容する凹部３２が形成されている。この凹部３２は室外側及び左右両端が開放されている。雨戸５の下部を案内するために、前記下枠３ｂにもスライドレールが設けられていても良いが、構造の簡素化及びコストの低減を図るために、雨戸５の下部背面部である下框１５ｂの室内面には横断面逆Ｌ字状で垂下したガイド板部３３が長手方向に沿って設けられ、下枠３ｂには前記ガイド板部３３を案内する上向きに開口したガイド溝３４が長手方向に沿って設けられている。ガイド溝３４にはごみの侵入を防止するモヘア３５が設けられている。また、ガイド溝３４内の一端部（雨戸開移動方向側）には雨戸５の振れ（揺動）すなわちガイド板部３３の室内外方向への振れを抑制する樹脂製の振れ止め部材３６が嵌合されて設けられている。
【００２０】
雨戸全閉時の位置決め用（ストッパー）として、前記両縦枠３ｃと雨戸５の背面部（両縦框１５ｃの背面部）とには雨戸の全閉時に互いに係合する全閉時用係合部３８ａ，３８ｂ，３８ｃ，３８ｄが設けられている。全閉時用係合部３８ａ，３８ｂ，３８ｃ，３８ｄは互いに係合すべく横断面略Ｌ字状にそれぞれ形成されている。全閉時用係合部３８ａ，３８ｂ，３８ｃ，３８ｄは縦枠又は縦框の長手方向に沿って連続して形成されていることが好ましい。
【００２１】
また、雨戸全開時の位置決め用（ストッパー）として、一方の縦枠（雨戸開移動方向側の縦枠）３ｃと雨戸５の他方の背面部（閉移動方向側の縦框１５ｃの背面部）とには雨戸の全閉時に互いに係合する全閉時用係合部３９ａ，３９ｂがそれぞれ設けられている。全開時用係合部３９ａ，３９ｂは互いに係合すべく横断面略Ｌ字状にそれぞれ形成されている。全開時用係合部３９ａ，３９ｂは共に縦枠３ｃ又は縦框１５ｃの長手方向に沿って連続して形成されていることが好ましい。全閉時用係合部３８ａ，３８ｂ及び全開時用係合部３９ａ，３９ｂの先端部には互いに係合し易いようにテーパーが設けられていることが好ましい。
【００２２】
雨戸開移動方向側縦枠３ｃの室外面には、全閉時用係合部３８ａと全開時用係合部３９ａとが略背中合わせの状態で設けられている。雨戸閉移動方向側縦框１５ｃの背面部（室内面）には全閉時用係合部３８ｄと全開時用係合部３９ｂとが所定の隙間Ｓを存して略背中合わせの状態で設けられている。雨戸側の全閉時用係合部３８ｄ及び全開時用係合部３９ｂは、雨戸の開閉用の引手部４０を構成している。雨戸側の全閉時用係合部３８ｄ及び全開時用係合部３９ｂはアルミ押出形材により一体に形成されている。雨戸の開閉は、上げ下げ窓の可動障子を上方に引き上げて開放してから室内側から雨戸の引手部に手を掛けて左右方向にスライド操作すれば良く、簡単且つ容易に雨戸の開閉を行うことができる。なお、雨戸の室内側には雨戸を全閉位置に施錠するための図示しない錠装置が設けられている。
【００２３】
以上の構成からなる雨戸装置１によれば、建物の開口部に設けられた窓２の室外側に配置される上枠３ａ、下枠３ｂ及び左右の縦枠３ｃ，３ｃからなる枠３と、少なくとも前記上枠３ａに片開きにスライド開閉自在に設けられる雨戸５とを備え、前記縦枠３ｃと前記雨戸５の背面部とに、雨戸５の全閉時に互いに係合する全閉時用係合部８ａ，８ｂ，３８ｃ，３８ｄを設けると共に雨戸５の全開時に互いに係合する全開時用係合部３９ａ，３９ｂを設け、雨戸側の全閉時用係合部３８ｄ及び全開時用係合部３９ｂが雨戸５の開閉用の引手部４０を構成しているため、一枚引きの雨戸を有するタイプで開閉操作性に優れ、しかも、耐風圧性の向上及び光の漏れの防止が図れる。
【００２４】
すなわち、雨戸を全閉位置まで閉めると、全閉時用係合部３８ａと３８ｂ，３８ｃと３８ｄが互いに係合して雨戸を全閉位置に位置決め停止させる。施錠する場合には、この全閉位置で錠装置を施錠すれば良い。全閉時用係合部３８ａと３８ｂ，３８ｃと３８ｄが互いに係合するため、風の巻き込みによる雨戸５のバタツキを抑制することができ、雨戸５の全閉時における耐風圧性の向上が図れる。また、全閉時用係合部３８ａと３８ｂ，３８ｃと３８ｄが互いに係合することにより、縦枠３ｃと雨戸５の間の隙間が覆われているため、光漏れを防止できると共に、隙間からバール等を挿入して錠装置が解錠されたり破壊される恐れがなく、防犯性の向上が図れる。更に、前記縦枠３ｃと前記雨戸５の背面部とには雨戸５の全開時に互いに係合して隙間を覆う全開時用係合部３９ａ，３９ｂが設けられているため、雨戸を全開位置まで容易に移動させて位置決め停止させることができると共に、雨戸５の全開時における耐風圧性の向上が図れる。
【００２５】
また、雨戸側の全閉時用係合部３８ｄ及び全開時用係合部３９ｂが雨戸５の開閉用の引手部４０を構成しているため、別途引手部材を設ける必要が無く、操作性の向上及びコストの低減が図れる。更に、前記スライドレール４は、少なくとも上枠３ａに設けられた固定レール４ａと、該固定レール４ａにスライド自在に支持された左右の可動レール４ｃとを有し、該可動レール４ｃが雨戸５の背面部に設けられ、前記雨戸５が全開時に縦枠３ｃより外側に突出した状態に保持されるように構成されているため、全閉時及び全開時にレール４ａ，４ｃが室外側に露出することがなく、意匠性の向上及び安全性の向上が図れる。
【００２６】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、スライドレールとしては、左右の雨戸間の開口幅を広くするために固定レールと、中間レールと、可動レールとからなることが好ましいが、本発明の場合、少なくとも固定レールと可動レールからなっていれば良い。また、前記実施の形態では雨戸装置は窓とは別体でユニット化されているが、窓と一体に形成されていても良い。スライドレールの円滑な動きを確保するためにボールベアリングが採用されているが、ボールベアリングに代えて車輪、ローラ等を採用しても良い。
【図面の簡単な説明】
【００２７】
【図１】本発明の実施の形態である雨戸装置を示す図で、（ａ）は全閉時の室外側正面図、（ｂ）は全開時の室外側正面図である。
【図２】同雨戸装置の縦断面図である。
【図３】同雨戸装置の全閉時の横断面図である。
【図４】同雨戸装置の全開時の横断面図である。
【図５】スライドレールの一例を示す図で、（ａ）は横断面図、（ｂ）は全閉時の縦断面図、（ｃ）は全開時の縦断面図である。
【符号の説明】
【００２８】
１  雨戸装置
２  窓
３  枠
３ａ  上枠
３ｂ  下枠
３ｃ  縦枠
５  雨戸
３８ａ，３８ｂ，３８ｃ，３８ｄ  全閉時用係合部
３９ａ，３９ｂ  全開時用係合部
４０  引手部
【図１】
2006249703.tif 000003
【図２】
2006249703.tif 000004
【図３】
2006249703.tif 000005
【図４】
2006249703.tif 000006
【図５】
2006249703.tif 000007